(57)【要約】【課題】空気中に含まれる異物から画像表示器を保護しつつも、画像表示器の冷却を低コストに実施することのできる画像表示器の保護装置を提供する。【解決手段】本発明に係る画像表示器の保護装置は、工場内で使用される画像表示器１を収容でき、かつ収容した画像表示器１の画像表示面と対面する領域に透過性を持たせた保護箱１１を具備する。保護箱１１には、加圧処理と除湿処理、及びエアフィルタリング処理を施した工場エアを保護箱１１の内部に導入可能な吸気口１６と、吸気口１６を介して導入した工場エアを保護箱１１の外部に排出可能な排気口１７とが設けられる。これにより工場エアを導入した状態では、保護箱１１の内部が高圧化された状態となる。【選択図】図４
2013048379.tif 000002
【特許請求の範囲】
【請求項１】
工場内で使用される画像表示器を収容でき、かつ収容した前記画像表示器の画像表示面と対面する領域に透過性を持たせた保護箱を具備する画像表示器の保護装置であって、
前記保護箱には、加圧処理と除湿処理、及びエアフィルタリング処理を施した工場エアを前記保護箱の内部に導入可能な吸気口と、該吸気口を介して導入した前記工場エアを前記保護箱の外部に排出可能な排気口とが設けられ、これにより前記保護箱の内部が高圧化されている画像表示器の保護装置。
【請求項２】
前記画像表示器に放熱部が設けられ、
前記保護箱のうち前記放熱部より上方に前記排気口が設けられる請求項１に記載の画像表示器の保護装置。
【請求項３】
前記画像表示器の複数箇所に連通口が設けられ、前記保護箱のうち、前記一の連通口の近傍領域に前記排気口が設けられ、かつ前記他の連通口の近傍領域に前記吸気口が設けられる請求項１に記載の画像表示器の保護装置。
【発明の詳細な説明】
【技術分野】
【０００１】
本発明は、画像表示器の保護装置に関し、特に、工場内で使用される画像表示器の保護装置に関する。
【背景技術】
【０００２】
工場内に、表示灯などの用途でテレビモニタ等の画像表示器を設置する際、工場環境によっては、例えば機械加工ラインを有する工場内では、空気中に浮遊する粉塵やオイルミスト等からテレビモニタを保護するためにテレビモニタを覆う保護箱を設ける必要が生じる。
【０００３】
テレビモニタから外気を遮断するためにはテレビモニタを収容する保護箱を密閉構造とする必要が生じるが、密閉構造にするとテレビモニタ自身の放熱作用により生じた熱が保護箱の内部に滞留するため、テレビモニタ周辺の温度が上昇し、テレビモニタが故障する原因となる。特に、上述の目的で使用されるテレビモニタは、原則、工場内において常に使用状態（画像表示状態）とされる。そのため、テレビモニタの温度上昇を防止するための対策が必須となる。
【０００４】
ここで、下記特許文献１には、箱状のモニタハウジング内に液晶テレビモニタを収納し、ガラス又は透明なアクリル板でテレビモニタの表示面を覆ったテレビモニタ装置が開示されている。また、モニタハウジング内の冷却を目的として、液晶テレビモニタの背面側に設けた通気口（吸気口）の近傍に外気取り込み用のファンを設けた構造が開示されている。
【先行技術文献】
【特許文献】
【０００５】
【特許文献１】特開２００３−３１５７６２号公報
【発明の概要】
【発明が解決しようとする課題】
【０００６】
ここで、上記特許文献１に記載のテレビモニタ装置を工場内で使用した場合、ファンによる外気の取り込みによってテレビモニタの冷却は図れるものの、ファンにより取り込んだ外気には当然のことながら粉塵やオイルミストなどの異物が含まれる。これでは、保護箱でテレビモニタを覆ったとしても、ファンで取り込んだ外気を介して上記異物がテレビモニタの内部に侵入するおそれがあり、保護箱本来の役割を果たすことはできない。
【０００７】
例えば、上記ファンにおける外気取り込み口にフィルタを設けた、いわゆる外気循環型のクーラーを採用する方法も考えられるが、この種の保護を必要とするテレビモニタの多くは、視認性を高める目的で数ｍ上方の高所に設置される。そのため、実際にこの種のクーラーを採用した場合、フィルタの交換作業が極めて困難となり、メンテナンスの面で問題がある。また、この種のクーラーに取り付け可能な種類のフィルタではフィルタリング能力に限界があり、空気中の粉塵やオイルミストを要求されるレベルまで取り除くことは難しい。
【０００８】
これに対して、いわゆる内気循環型のクーラーを採用する場合には、テレビモニタの保護箱に外付けすることができ、かつ保護箱の内部と外部とでの空気の出入りが生じないため、保護箱の密閉性を損なう心配もない。しかし、この種のクーラーは、ドレン等の処理機能を持たせる必要もあって、総じて高価となる。それでなくても保護箱を密閉構造とする場合には、板金の繋ぎ目にパッキンを充填して密封する等、保護箱の製作コストが高くつくため、冷却機構（クーラー）も高価になると、コスト面で採用が難しくなる。
【０００９】
以上の事情に鑑み、本明細書では、空気中に含まれる異物から画像表示器を保護しつつも、画像表示器の冷却を低コストに実施することのできる画像表示器の保護装置を提供することを本発明により解決すべき技術的課題とする。
【課題を解決するための手段】
【００１０】
前記課題の解決は、本発明に係る画像表示器の保護装置により達成される。すなわち、この保護装置は、工場内で使用される画像表示器を収容でき、かつ収容した画像表示器の画像表示面と対面する領域に透過性を持たせた保護箱を具備する画像表示器の保護装置であって、保護箱には、加圧処理と除湿処理、及びエアフィルタリング処理を施した工場エアを保護箱の内部に導入可能な吸気口と、吸気口を介して導入した工場エアを保護箱の外部に排出可能な排気口とが設けられ、これにより保護箱の内部が高圧化されている点をもって特徴付けられる。
【００１１】
このように、本発明では、保護箱の内部に加圧処理を施した工場エアを導入可能な構造として導入後の保護箱の内部を高圧化したので、導入した工場エアよりも低圧の工場内の空気（特に画像表示器周辺の空気）が保護箱の内部に侵入する事態を防止することができる。また、保護箱内に導入する工場エアは加圧処理と共にエアフィルタリング処理を施したものであるから、導入した工場エアを介して画像表示器内部に粉塵やオイルミストが侵入する心配もない。よって、工場内に設置した画像表示器を粉塵やオイルミストなどの異物から確実に保護することができる。また、保護箱に工場エアを導入するための吸気口と、吸気口を介して導入した工場エアを保護箱の外部に排出するための排気口とを設けるようにしたので、保護箱と画像表示器との間に吸気口から排気口へと向かう工場エアの流れを創り出すことができる。これにより所定の流れを生じた工場エアと画像表示器との間で常時熱交換が行われるので、画像表示器を冷却することができる。また、保護箱内に導入される工場エアは除湿処理を施したものであるため、工場エアを保護箱内部に導入することで保護箱の透過性を持たせた部分が曇ることもない。これにより、特段のメンテナンスを施すことなく画像表示器の視認性を確保することができる。特に加圧処理を施した工場エアであれば、加圧のための圧縮操作に伴い空気中の水分が一部液化して、工場エアの供給先となる画像表示器に悪影響を及ぼす事態が懸念されるところ、上述のように加圧処理と共に除湿処理を施した工場エアであれば、空気中の水分濃度を下げて、液化による上記不具合の発生を回避することができる。
【００１２】
また、機械加工ラインを有する大型の工場で供給される工場エアであれば、通常、エアを加圧処理するためのコンプレッサが設置されており、また、コンプレッサに付随して除湿処理のための乾燥装置やエアフィルタリング装置が設置されているのが通常である。従って、これら加圧、除湿、フィルタリング処理を施した工場エアを特段の設備追加を行うことなく（既存の設備をそのまま利用して）保護箱内部に導入することができ、保護装置に係る設備コストを抑えることができる。さらに、加圧された工場エアを導入して保護箱内部の圧力を高めることにより画像表示器を粉塵等から保護するようにしたので、保護箱を密閉構造とする必要は無く、その分保護箱の製作コストを下げることができる。以上の理由から、画像表示器の保護及び冷却を低コストに実施することが可能となる。
【００１３】
また、画像表示器に、放熱部として、画像表示器の内部と外部とを連通する連通口や、画像表示器の内部と外部とを連通することなく表面を凹凸状にしてなる放熱フィンが設けられる場合、本発明に係る保護装置は、保護箱のうち放熱部より上方に排気口が設けられたものであってもよい。あるいは、画像表示器の複数箇所に連通口が設けられる場合、保護箱のうち一の連通口の近傍領域に排気口が設けられ、かつ他の連通口の近傍領域に吸気口が設けられたものであってもよい。
【００１４】
このように、画像表示器に設けられる放熱部（連通口や放熱フィンなど）は、画像表示器の使用に伴い生じた熱を外部に放出（放熱）するために設けられる。そのため、保護箱のうち放熱部より上方に排気口を設けることで、画像表示器内部からの放熱効果を高めることができる。また、画像表示器の複数箇所に連通口が設けられる場合には、連通口同士は画像表示器の内部空間を介してつながった状態となる。そのため、これら複数の連通口のうち一の連通口の近傍領域に排気口を設けると共に、他の連通口の近傍領域に吸気口を設けることで、吸気口から導入した工場エアが一の連通口を介して画像表示器内部を通過し、他の連通口を介して保護箱と画像表示器との隙間に至った後、さらに保護箱に設けた排気口から排出される工場エアの流れを形成することができる。これにより、画像表示器の内部に設けられたＣＰＵなどの発熱源を工場エアで直接的に冷却することができ、非常に高い冷却効果を得ることが可能となる。
【発明の効果】
【００１５】
以上のように、本発明に係る画像表示器の保護装置によれば、粉塵やオイルミストなど空気中に含まれる異物から画像表示器を保護しつつも、画像表示器の冷却を低コストに実施することが可能となる。
【図面の簡単な説明】
【００１６】
【図１】本発明の一実施形態に係る画像表示器の保護装置の設置態様を示す正面図である。
【図２】図１に示す保護箱の背面図である。
【図３】図１に示す保護箱の上面図である。
【図４】図１に示す保護箱の側面図である。
【図５】本発明の他の実施形態に係る画像表示器の保護装置の背面図である。
【発明を実施するための形態】
【００１７】
以下、本発明に係る画像表示器の保護装置の一実施形態を図面に基づき説明する。
【００１８】
図１は、本発明の一実施形態に係る画像表示器の保護装置の使用態様を示す正面図である。同図に示すように、この保護装置は、工場内で使用される画像表示器１を収容でき、かつ収容した画像表示器１の画像表示面と対面する領域に透過性プレート１０を配置してなる保護箱１１を具備する。保護箱１１には、工場内で使用されるエア（工場エア）を生成し、保護箱１１を含む工場内の設備に供給するためのエア供給源１２が例えばホース１３等を介して接続される。この実施形態では、工場内の複数箇所に液晶テレビモニタなどの画像表示器１が保護箱１１に収容された状態で吊下げ設置されている。各保護箱１１とエア供給源１２との間には、ホース１３を介してレギュレータ１４が介設されており、エア供給源１２で生成された工場エアをレギュレータ１４で減圧した状態で各保護箱１１の内部に供給可能としている。
【００１９】
保護箱１１は、この実施形態では、図１〜図３に示すように、収容する画像表示器１に倣った形状、すなわち略矩形状をなすもので、上述したアクリル製の透過性プレート１０と、この透過性プレート１０を嵌め込み固定可能な金属製の枠体１５とで主に構成される。枠体１５は、例えば複数の金属板を溶接、接着等の任意の手段で相互に固定することで組立て可能であり、この実施形態では、複数の金属板同士をねじ止めにより相互に固定している。
【００２０】
保護箱１１の枠体１５には、ホース１３を介してエア供給源１２で生成した工場エアを保護箱１１の内部に導入可能な吸気口１６が設けられる。また、枠体１５には、吸気口１６を介して導入した工場エアを保護箱１１の外部に排出可能な排気口１７が設けられる。
【００２１】
この実施形態では、吸気口１６は、図２に示すように、枠体１５の下方領域に設けられる。詳細には、図４に示すように、枠体１５の背面側領域１５ａのうち、保護箱１１内部に収容した画像表示器１の下端もしくは下端よりも下方となる位置に吸気口１６が設けられている。また、排気口１７は、図３に示すように、枠体１５の上方領域に設けられる。画像表示器１に設けられる放熱部（連通口２）との位置関係でいえば、図２〜図４に示すように、画像表示器１の背面側領域１５ａの上方に、画像表示器１の内部と外部（正確には、保護箱１１と画像表示器１との間の空間）とを連通する連通口２が形成されており、この連通口２の近傍領域、この図示例では連通口２より上方の領域、具体的には枠体１５の上面側領域１５ｂに排気口１７が設けられている。なお、図示は省略しているが、枠体１５の上面側領域１５ｂには、保護箱１１内部に収容される画像表示器１のケーブル取出し口が設けられている。また、画像表示器１に設けられる放熱部は、連通口に限らず、画像表示器１の内部と外部とを連通することなく表面を凹凸状にしてなる放熱フィンであってもよい。
【００２２】
また、吸気口１６を介して保護箱１１内部に導入する工場エアは、加圧処理と除湿処理、及びエアフィルタリング処理を施したものであって、例えば工場外部から内部に取り込んだエアをコンプレッサで圧縮し加圧（例えば０．４ＭＰａ〜０．５ＭＰａ）した後、エアドライヤなどの除湿装置で加圧後の工場エアに含まれる水分を除去すると共に、エアフィルタリング装置で加圧、除湿後の工場エアから粉塵、オイルミストなどの異物（主に微細な固体、流体粒子）を除去することで得られる。
【００２３】
以下、上記構成の保護装置の使用態様の一例を説明する。まず、図２〜図４に示すように、画像表示器１を保護箱１１の内部に収容した状態で、エア供給源１２で生成され、加圧処理と除湿処理、及びエアフィルタリング処理を施した工場エアを、吸気口１６を介して保護箱１１の内部に導入する。このように、保護箱１１の内部に、加圧処理を施した工場エアを導入することで、保護箱１１の内部空間は、保護箱１１の外部空間、すなわち工場の内部空間よりも高圧状態となる。これにより、保護箱１１周辺の空気が保護箱１１の内部に侵入する事態が防止される。また、加圧処理と共にエアフィルタリング処理を施した工場エアを保護箱１１の内部に導入するようにしたので、導入した工場エアを介して画像表示器１の内部に粉塵やオイルミストが侵入する心配もない。よって、保護箱１１を介して工場内に設置した画像表示器１は粉塵やオイルミストなどの異物から確実に保護される。
【００２４】
また、保護箱１１に工場エアを導入するための吸気口１６と、吸気口１６を介して導入した工場エアを保護箱１１の外部に排出するための排気口１７とを設けることで、工場エアを導入した際、保護箱１１と画像表示器１との間に吸気口１６から排気口１７へと向かう工場エアの流れ（例えば図４中、２点鎖線で示す向きの流れ）が生成される。これにより所定の流れを生じた工場エアと画像表示器１との間で常時熱交換が行われ、画像表示器１が冷却される。
【００２５】
特に、本実施形態では、画像表示器１の放熱部となる連通口２の近傍領域（上面側領域１５ｂ）に排気口１７を設けるようにしたので、画像表示器１内部からの放熱効果を高めることができる。また、本実施形態では、画像表示器１の連通口２よりも上方に排気口１７を設けるようにしたので、画像表示器１内部で生じた熱が自然に上昇する位置に排気口１７が位置することになる。従って、上昇した熱が保護箱１１内部で滞留する事態を回避して、より優れた放熱効果を得ることが可能となる。加えて、本実施形態では、上記した排気口１７の配置と併せて、排気口１７から極力離れた位置、すなわち枠体１５の下端近傍領域に吸気口１６を設けるようにしたので、保護箱１１内部に、下方から上方へと向かう工場エアの流れを形成することができる。これにより、保護箱１１に収容した画像表示器１の背面側領域を効率よく冷却することが可能となる。また、保護箱１１の内部空間の極力全域に工場エアを行き届かせ易くなり、画像表示器１で生じた熱の滞留を極力回避することが可能となる。
【００２６】
また、本発明では、加圧処理と併せて除湿処理を施した工場エアを保護箱１１の内部に導入するようにしたので、工場エアを導入することで画像表示器１の画像表示面と対面する領域に配置した透過性プレート１０が曇る心配もない。また、工場エアは常時導入可能であるから、特段のメンテナンスを行わずとも常に画像表示器１の視認性を確保することができる。
【００２７】
また、本発明では、工場内に設置されているエア供給源１２を用いて、すなわち、エア供給源１２を構成するコンプレッサや乾燥装置、エアフィルタリング装置を用いて、加圧処理と除湿処理、及びエアフィルタリング処理を施した工場エアを保護箱１１内に導入するようにしたので、工場内の既存の設備をそのまま利用することができる。よって、上記工場エアを導入するために新たな設備を追加する必要は無く、設備コストを抑えることができる。さらに、上述のように加圧された工場エアを導入して保護箱１１内の圧力を常時高めることにより画像表示器１を工場内の空気（粉塵やオイルミストなど）から保護するようにしたので、保護箱１１を密閉構造とする必要は無く、その分保護箱１１の製作コストを下げることができる。以上の理由から、画像表示器１の保護及び冷却を低コストに実施することが可能となる。
【００２８】
以上、本発明の一実施形態を説明したが、本発明に係る画像表示器の保護装置は、当然に本発明の範囲内において任意の形態を採ることができる。
【００２９】
例えば保護箱１１に設けられる吸気口１６及び排気口１７に関し、画像表示器１に設けられる連通口２の位置に応じて適宜その配置を設定することも可能である。例えば図５に示すように、複数の連通口３ａ，３ｂが互いに離隔して画像表示器１の複数箇所（図５では上下２箇所）に設けられる場合には、上下の連通口３ａ，３ｂ同士は画像表示器１の内部空間を介してつながった状態となる。そのため、例えば枠体１５のうち、上側の連通口３ａ（放熱部）の近傍領域（ここでは枠体１５の上面側領域１５ｂ）に排気口１７を設けると共に、下側の連通口３ｂの近傍領域（ここでは枠体１５の下面側領域１５ｃであって、下側の連通口３ｂよりもさらに下方）に吸気口１６を設けることで、吸気口１６から導入した工場エアが下側の連通口３ｂを介して画像表示器１内部を通過し、上側の連通口３ａを介して保護箱１１と画像表示器１との間の空間に至った後、さらに保護箱１１に設けた排気口１７から排出される工場エアの流れ（図５中、２点鎖線及び破線で示す向きの流れ）を形成することができる。これにより、画像表示器１の内部に設けられたＣＰＵなどの発熱源を工場エアで直接的に冷却することができ、非常に高い冷却効果を得ることが可能となる。
【００３０】
もちろん、吸気口１６及び排気口１７の設置位置は上述した位置に限定されることはなく、本発明による効果（保護箱１１内部の昇圧効果及び冷却効果）を得られる限りにおいて、具体的には、吸気口１６と排気口１７とをある程度離して設置する限りにおいて、自由に設定することが可能である。また、その数も特に限定されることはなく、吸気口１６については図示のように枠体１５上の１箇所に設ける他、複数箇所に設けるようにしてもよい。同様に、排気口１７についても枠体１５上の２箇所に設ける他、１箇所ないし３箇所以上に設けるようにしてもよい。
【符号の説明】
【００３１】
１      画像表示器
２，３ａ，３ｂ  連通口
１０    透過性プレート
１１    保護箱
１２    エア供給源
１３    ホース
１４    レギュレータ
１５    枠体
１５ａ  背面側領域
１５ｂ  上面側領域
１５ｃ  下面側領域
１６    吸気口
１７    排気口
【図１】
2013048379.tif 000003
【図２】
2013048379.tif 000004
【図３】
2013048379.tif 000005
【図４】
2013048379.tif 000006
【図５】
2013048379.tif 000007